(57)【要約】【課題】ディスクトレイ内で発生する静電気から配線基板の電子部品を保護するようにし、光ディスクを媒体に授受するデータ、信号の破壊を未然に防止して性能、信頼性を低下することのない光ディスク装置を提供する。【解決手段】記録媒体Ｄを装填したディスクトレイ２をシャーシケース１０内で前進後退させてロード／アンロードするようにした光ディスク装置１において、電子部品Ｓ１・Ｓ２・Ｓ３を実装した配線基板Ｐを配設する部位の前記ディスクトレイ２の裏面に静電気の遮蔽層１７・１８を形成する。【選択図】      図２
2004303326.tif 000002
【特許請求の範囲】
【請求項１】
記録媒体を装填したディスクトレイをシャーシケース内で前進後退させてロード／アンロードするようにした光ディスク装置において、
電子部品を実装した配線基板を配設する部位の前記ディスクトレイの裏面に静電気の遮蔽層を形成したことを特徴とする光ディスク装置。
【請求項２】
静電気の遮蔽層が金属製の薄板であることを特徴とする請求項１記載の光ディスク装置。
【請求項３】
静電気の遮蔽層が帯電防止剤であることを特徴とする請求項１記載の光ディスク装置。
【請求項４】
静電気の遮蔽層の表面に電気的絶縁層を形成したことを特徴とする請求項１乃至請求項３記載の光ディスク装置。
【請求項５】
静電気の遮蔽層の一端をディスクトレイの接地回路に接続したことを特徴とする請求項１乃至請求項３記載の光ディスク装置。
【発明の詳細な説明】
【０００１】
【発明の属する技術分野】
本発明は、各種コンピュータシステムなどにおいて大量の情報を記録するための記録媒体である光ディスク（例えば、ＣＤ−Ｒ／ＲＷ、ＤＶＤ−Ｒ／−ＲＷ／ＲＡＭ／＋Ｒ／＋ＲＷ）をドライブする光ディスク装置の改良に関する。
【０００２】
【従来の技術】
一般に、パーソナルコンピュータ（以下、パソコンという）は、光ディスクへの情報の記録または光ディスクから情報を再生するため、この光ディスクをドライブする光ディスク装置を欠かすことができず、パソコン本体に内蔵するか、いわゆる外付けとしてケーブルで接続するようにしている。
【０００３】
近年、このような目的で生産されている光ディスク装置は、記録密度の高度化ならびに読出速度、書込速度などの高速化に伴い精度、信頼性を高くすることが要求されている。また、ノート型パソコンにおいては、薄型化が強く要求されており、光ディスク装置においても薄型化に寄与できるように機構要素の各部分の改良がなされている。
【０００４】
図４は、光ディスク装置を内蔵したノート型パソコン外観を示すもので、通常、光ディスク装置１はパソコン本体の側部に内蔵され、スイッチ操作あるいはパソコン本体からの指令によりディスクトレイ２がポップアウトし、さらにパソコンの使用者がディスクトレイ２を引き出し、光ディスクＤを装填するようにしている。
【０００５】
図５は、このような従来の光ディスク装置１の外観を示すもので、ディスクトレイ２は光ディスクを収容するため浅皿状に形成されており、その中央に、直下にスピンドルモータ３の駆動軸に固定されたターンテーブル４が配置され、このターンテーブル４のクランプヘッド５により光ディスクの中心孔をクランプし、回転力を伝達するようにしている。
【０００６】
符号６はヘッドユニットであり、ディスクトレイ２の裏面に構成された駆動機構により全体がディスクトレイ２の直径方向に往復動し、その対物レンズ６ａから光ディスクにレーザビームが照射される。また、ディスクトレイ２の前端には外装を整えるためのベゼル７が装着されており、ディスクトレイ２のロード状態を解除するための押釦８ならびにインジケータ窓７ａが表面に臨み、ディスクトレイ２のロック状態を強制的に解除するための通孔７ｂが形成されている。
【０００７】
外装がこのように構成されたディスクトレイ２は、図６に示すようにその両側をガイドレール９により遊嵌状態で支持されており、このガイドレール９は、ベースシャーシ１１とカバーシャーシ１２で一体構成されるシャーシケース１０の前記ベースシャーシ１１の側壁に固定された支持レール１３にスライド可能に支持されている。したがって、ガイドレール９と支持レール１３とによりガイドレール機構が構成され、ディスクトレイ２をロードしたとき、このディスクトレイ２の両側はガイドレール機構で覆われる状態となる。
【０００８】
図７は、前記ディスクトレイ２の裏面に構成された電気系部品ならびに機構要素の配置状態を示すもので、ディスクトレイ２の中央部には光ディスクを回転駆動するスピンドルモータ３、ヘッドユニット６およびこのヘッドユニット６を光ディスクの半径方向に往復動させる動力源となるスレッドモータ１４およびギヤユニット１５を主体に構成した駆動機構Ａが配置されている。前記ヘッドユニット６は、通常、ダイキャストなどにより成型されたキャリッジに対物レンズ６ａならびにこれを駆動するための機構要素、そして発光素子６ｂから出射されたレーザビームを導く光学ユニットなどを備える。
【０００９】
また、前記駆動機構Ａの後部側には半導体集積回路素子Ｓ１・Ｓ２・Ｓ３などの電子部品が実装された配線基板Ｐが配置され固定されており、ディスクトレイ２の前端角隅部にはイジェクト／ロック機構Ｂが配設されている。前記配線基板Ｐにはマイコン系の半導体集積回路素子Ｓ１、パソコン本体と光ディスク装置の信号の授受を司る半導体集積回路素子Ｓ２、データの読み書きを行う半導体集積回路素子Ｓ３を同図に示すように配置して実装してある。
【００１０】
図８は、ディスクトレイ２の裏面における前記配線基板Ｐの配設状態の構成を示すもので、配線基板Ｐがネジ止めされた後、図９に示すようにボトムカバー１６がネジ止めにより固定される。このボムカバー１６を取り付けることにより、ディスクトレイ２がアンロードされてもその裏面に組み込まれた電気系部品および機構要素が外部に露呈しないようにするとともに、ディスクトレイ２の外部に発生する静電気、磁気の影響を受けないようにしている（例えば、特許文献１）。
【００１１】
【特許文献１】
特願２００３−４４２１１
【００１２】
【発明が解決しようとする課題】
このように構成された光ディスク装置では、可能な限りの薄型としてあるため、装填された光ディスクと配線基板Ｐとの距離はきわめて接近した状態となっている。かかる状態において光ディスクを回転駆動すると、その回転に伴い静電気が発生し、配線基板Ｐに実装した微弱な信号で動作する電子部品に影響を与えることが確認された。
【００１３】
このような影響はパソコンにおける場合、データの破壊などに繋がる重大な問題となり、また、音響機器における場合は、オーディオ信号のＳＮ比の劣化となって現れる。このように、データ、信号が発生する根源となる部分で信号劣化が発生すると、これを修復することは不可能となり、装置の性能、信頼性を低下してしまうことになる。
【００１４】
本発明は、かかる問題に鑑みなされたもので、ディスクトレイ内で発生する静電気から配線基板の電子部品を保護するようにしたもので、これにより、性能、信頼性を低下することのない光ディスク装置を提供することを目的とするものである。
【００１５】
【課題を解決するための手段】
そこで本発明は、以下に述べる各手段により上記課題を解決するようにした。即ち、請求項１記載の発明では、記録媒体を装填したディスクトレイをシャーシケース内で前進後退させてロード／アンロードするようにした光ディスク装置において、電子部品を実装した配線基板を配設する部位の前記ディスクトレイの裏面に静電気の遮蔽層を形成する。
【００１６】
請求項２記載の発明では、上記請求項１記載の構成において、静電気の遮蔽層が金属製の薄板であるようにする。
【００１７】
請求項３記載の発明では、上記請求項１記載の構成において、静電気の遮蔽層が帯電防止剤であるようにする。
【００１８】
請求項４記載の発明では、上記請求項１乃至請求項３記載の構成において、静電気の遮蔽層の表面に電気的絶縁層を形成するようにする。
【００１９】
請求項５記載の発明では、上記請求項１乃至請求項３記載の構成において、静電気の遮蔽層の一端をディスクトレイの接地回路に接続するようにする。
【００２０】
【発明の実施の形態】
以下、本発明の実施の形態を図にもとづいて詳細に説明する。なお、実施例において従来の構成と共通する部分には同一の符号を付してその説明を省略する。
【００２１】
図１は、本発明の第１実施例の組立斜視図であり、半導体集積回路素子Ｓ１・Ｓ２・Ｓ３などの電子部品を実装した配線基板Ｐを配設する部位のディスクトレイ２の裏面の形状に倣うように成形した金属製の薄板１７を接着剤などにより図２に示すように固定し、張設する。しかる後、配線基板Ｐをネジ止めすることによりディスクトレイ２の裏面と配線基板Ｐとの間で前記薄板１７が遮蔽板となり、ディスクトレイ２側で発生した静電気を遮断することができる。
【００２２】
なお、薄板１７の一端をディスクトレイ２内の接地回路に接続しておくことにより、前記静電気の遮蔽効果をより確実なものとすることができる。また、張設した薄板１７の表面に電気的絶縁層を形成しておくことにより、配線基板Ｐにおける短絡事故を未然に防止することができる。
【００２３】
図３は、本発明の第２実施例であり、半導体集積回路素子Ｓ１・Ｓ２・Ｓ３などの電子部品を実装した配線基板Ｐを配設する部位のディスクトレイ２裏面に帯電防止剤１８を塗布したものである。そして、配線基板Ｐをネジ止めすることによりディスクトレイ２の裏面と配線基板Ｐとの間で前記帯電防止剤１８が遮蔽層となり、ディスクトレイ２側で発生した静電気を遮断することができる。
【００２４】
この場合においても第１実施例と同様に、帯電防止剤１８の一端をディスクトレイ２内の接地回路に接続しておくことにより、前記静電気の遮断効果をより確実なものとすることができる。また、塗布した帯電防止剤１８の表面に電気的絶縁層を形成しておくことにより、配線基板Ｐにおける短絡事故を未然に防止することができる。
【００２５】
なお、上記実施例においては、静電気の遮蔽層をディスクトレイの裏面に形成する構成にもとづいて説明したが、この遮蔽層を配線基板に形成するようにしてもよく、要するにディスクトレイの裏面と配線基板との間に遮蔽層が形成されていれば、本発明の目的を達成することが可能となる。
【００２６】
【発明の効果】
以上、詳細に説明したように本発明によれば、ディスクトレイ内で発生する静電気から配線基板の電子部品を保護することができ、これにより光ディスクを媒体に授受するデータ、信号の破壊を未然に防止することができるので、性能、信頼性を低下することのない光ディスク装置とすることができる。
【図面の簡単な説明】
【図１】本発明の第１実施例の組立斜視図である。
【図２】本発明の第１実施例を施工した状態の斜視図である。
【図３】本発明の第２実施例を施工した状態の斜視図である。
【図４】ノート型パソコンの外観の斜視図である。
【図５】光ディスク装置の外観の斜視図である。
【図６】光ディスク装置の構成を説明するための斜視図である。
【図７】光ディスク装置の内部の構成を示す底面図である。
【図８】光ディスク装置の内部の構成を示す斜視図である。
【図９】光ディスク装置の構成状態を示す斜視図である。
【符号の説明】
１・・・・・・光ディスク装置
２・・・・・・ディスクトレイ
３・・・・・・スピンドルモータ
４・・・・・・ターンテーブル
５・・・・・・クランプヘッド
６・・・・・・ヘッドユニット
７・・・・・・ベゼル
８・・・・・・押釦
９・・・・・・ガイドレール
１０・・・・・シャーシケース
１１・・・・・ベースシャーシ
１２・・・・・カバーシャーシ
１３・・・・・支持レール
１４・・・・・スレッドモータ
１５・・・・・ギヤユニット
１６・・・・・ヘッドユニット
１７・・・・・薄板
１８・・・・・帯電防止剤
Ｄ・・・・・・光ディスク
Ｐ・・・・・・配線基板
【図１】
2004303326.tif 000003
【図２】
2004303326.tif 000004
【図３】
2004303326.tif 000005
【図４】
2004303326.tif 000006
【図５】
2004303326.tif 000007
【図６】
2004303326.tif 000008
【図７】
2004303326.tif 000009
【図８】
2004303326.tif 000010
【図９】
2004303326.tif 000011